(57)【要約】【課題】  スクリーン等の照射面上に光による自然に近い変化をもたせた装飾模様を出現できる特殊照明効果を有する照明装置を提供する。【解決手段】  上部前面に開口部を有する遮光性のケース本体１２と、前記ケース本体１２の下部に一体に設けられたランプハウス１５に光の前後方向の照射角度を調整自在とした調整枠板２９に取り付けられ、かつ光の左右方向の照射角度を調整自在としたランプホルダ３０に交換可能に配設されたランプ１６と、前記ランプの照射光を反射して前記上部前面の開口部より任意形状に輝光する光のパターンに変換して照射面に照射する胴体部２０ａ外周に反射面２２を有する回転ドラム２０と、前記回転ドラム２０を回転駆動するモータ１８及びモータ回転速度制御部１９を備えた構成とした。【選択図】  図１
2006073244.tif 000002
【特許請求の範囲】
【請求項１】
上部前面に開口部を有する遮光性のケース本体と、前記ケース本体の下部に一体に設けられたランプハウスに光の前後方向の照射角度を調整自在とした調整枠板に取り付けられ、かつ光の左右方向の照射角度を調整自在としたランプホルダに交換可能に配設されたランプと、前記ランプの照射光を反射して前記上部前面の開口部より任意形状に輝光する光のパターンに変換して照射面に照射する胴体部外周に反射面を有する回転ドラムと、前記回転ドラムを回転駆動するモータ及びモータ回転速度制御部を備えることを特徴とする特殊照明効果を有する照明装置。
【請求項２】
前記上部前面の開口部は矩形状に開口され、該開口の上下，左右の各周縁には、それぞれ前記開口部からの反射光の照射領域を調節し、かつ前記回転ドラムの反射面からの反射光の拡散を規制する射光調節板を設けたことを特徴とする請求項１記載の特殊照明効果を有する照明装置。
【請求項３】
前記調整枠板は、前記ケース本体のランプハウス外面に突出させた調整ハンドルによって回動可能なギヤ機構を介して光の前後方向の照射角度を調整自在としたことを特徴とする請求項１又は２に記載の特殊照明効果を有する照明装置。
【請求項４】
前記回転ドラムは、前記ケース本体の背面板に形成した開口部に配設され、可逆転可能なモータによって正，逆回転駆動されると共に、前記回転ドラムの胴体部外周表面には鏡面仕上げが施された凹凸反射面が形成されたものであることを特徴とする請求項１〜３のいずれか１つに記載の特殊照明効果を有する照明装置。
【請求項５】
前記回転ドラムの反射面は、鏡面仕上げが施された凹凸反射面を有する薄板状の反射板を、前記回転ドラムの胴体部外周に着脱自在に巻装したものであることを特徴とする請求項１〜３のいずれか１つに記載の特殊照明効果を有する照明装置。
【請求項６】
前記ケース本体の開口部の左右縁部及び下縁部には、断面コ字状のカラーフィルタ装着用の装着部を有し、該装着部に所望のフィルタ色を有する光透過性のカラーフィルタを脱着可能に配設するようにしたことを特徴とする請求項１〜５のいずれか１つに記載の特殊照明効果を有する照明装置。
【請求項７】
前記ランプハウスには開閉可能な開閉蓋が設けられると共に、開閉蓋の内部に前記ランプへの電力供給用のコード接続部分を覆う感電防止用の保護板が設けられていることを特徴とする請求項１〜６のいずれか１つに記載の特殊照明効果を有する照明装置。
【請求項８】
前記ランプからの光の左右方向の照射角度を調整自在としたランプホルダの前面に円筒状の光漏れ防止部材を配設したことを特徴とする請求項１〜７のいずれか１つに記載の特殊照明効果を有する照明装置。
【請求項９】
前記ケース本体の両側面には、縦吊り用の連結具を有する旋回可能なアームと横吊り用の連結具が設けられていることを特徴とする請求項１〜８のいずれか１つに記載の特殊照明効果を有する照明装置。
【発明の詳細な説明】
【技術分野】
【０００１】
本発明は、舞台，スタジオ等における背景スクリーンなどの照射面に、滝・荒海等の水や自然のイメージをテーマとしたもの、或いは火山・火炎・流れ雲・夕焼け雲などのような種々の効果又は特殊効果等によるテーマとした変化にとんだ照明効果を発揮させるようにした照明装置に係り、特に照明器具本体に正，逆回転する回転ドラムの胴体部外周表面に反射面を形成したもの、或いは胴体部の外周に異なる反射面を有する所望の反射板（種板）を着脱自在に巻装して、光源からの光を反射させてスクリーン等の照射面上に光による自然に近い変化をもたせた装飾模様を出現できる特殊照明効果を有する照明装置に関するものである。
【背景技術】
【０００２】
従来の装飾用照明装置は、一方に透光開口を備えた器具本体の内部にソケットを取り付け、そのソケットに装着したランプの前面側である透光開口側に、器具本体に固定された装飾パターン板を配設して、ランプからの光を装飾パターン板に投光させると共に、その光を装飾パターン板に透過させて、照射面上に光の模様である装飾模様を形成させるようにしている。
従って、このような照明装置にあっては、照射面上に形成される装飾模様は、装飾パターン板を透過した光により一定の変化しない装飾模様が形成される。
【０００３】
また、変化する照明効果を有する装飾照明装置としては、上部に空間を残して非腐食性の透明な液体を充填した薄い皿状の透明な容器からなる波・泡発生器と、該波・泡発生器の透明な液体内に空気を送給しうるエアーブロー装置と、波・泡発生器に光線を照射し得る照明器具とからなる変化する照明効果を有する装飾照明装置が提供されている。（例えば特許文献１参照）。
【特許文献１】特開平１０−１３４６０９号公報
【発明の開示】
【発明が解決しようとする課題】
【０００４】
しかるに、上述のような前者の装飾照明装置にあっては、照射面上に形成できる装飾模様は変化のない一定パターンの模様しか形成できない。そこで、装飾模様を変化させるものとして、後者のような透明な液体を充填した薄い皿状の透明な容器からなる波・泡発生器を用い、該発生器に、エアーブロー装置を用いて空気を送給して照射面上の装飾模様を変化させているが、構成が複雑で大型とならざるを得ず装置全体の移動設置には時間を要すると共に、照射面上に形成される装飾模様も変化に乏しいものになっており、スクリーンなどの照射面上で要求する演出効果を満足させる複雑な照射パターン変化を得ることは困難となっている。
【０００５】
さらに、従来の照明装置は光源よりの光を種板（反射板）に当てて照射面（スクリーン等）に投光する際、オブジェクティブレンズ（集光又は拡散レンズ）等を介して投光するため、像が明確に映し出される投光距離が数メートル必要となって至近距離で用いることが困難となっている。
【０００６】
本発明は、上記のような点に鑑みなされたもので、前記従来のようなオブジェクティブレンズをなくした構成とすることで、至近距離でも十分に像が明確に映し出されると共に、設置移動が容易となるようにコンパクトに形成したケース本体内にランプハウス及びランプからの光を反射する反射面を備えた回転ドラムを収納した構成とし、さらに、前記ランプの回転ドラムの胴体部の反射面に照射するランプの照射光の角度を任意に変更できるようにすると共に、前記回転ドラムの胴体部外周に形成する反射面は、回転ドラムの胴体部外周表面に反射面を直接刻設したもの、或いは胴体部の外周に異なる反射面を有する所望の反射板を着脱自在に積層状態に巻装して、光源からの光を反射させてスクリーン等の照射面上に変化にとんだ任意の照射パターンに変換した自然に近い変化をもたせた特殊な装飾模様の照明装置を提供することを目的とする。
【０００７】
さらにまた、前記回転ドラムの前面には脱着可能なカラーフィルタの装着部を備え、所望により異なる色のカラーフィルタを装着可能とし、変化に飛んだ演出効果発揮させることができるようにした特殊な装飾模様の照明装置を提供することを目的とする。
【課題を解決するための手段】
【０００８】
上記目的を達成するために、本発明の特殊照明効果を有する照明装置は、上部前面に開口部を有する遮光性のケース本体と、前記ケース本体の下部に一体に設けられたランプハウスに光の前後方向の照射角度を調整自在とした調整枠板に取り付けられ、かつ光の左右方向の照射角度を調整自在としたランプホルダに交換可能に配設されたランプと、前記ランプの照射光を反射して前記上部前面の開口部より任意形状に輝光する光のパターンに変換して照射面に照射する胴体部外周面に反射面を有する回転ドラムと、前記回転ドラムを回転駆動するモータ及びモータ回転速度制御部を備えることを特徴とする。
【０００９】
また、請求項２の発明は、請求項１記載の特殊照明効果を有する照明装置において、前記上部前面の開口部は矩形状に開口され、該開口の上下，左右の各周縁には、それぞれ前記開口部からの反射光の照射領域を調節し、かつ前記回転ドラムの反射面からの反射光の拡散を規制する射光調節板を設けたことを特徴とする。
【００１０】
また、請求項３の発明は、請求項１又は２に記載の特殊照明効果を有する照明装置において、前記調整枠板は、前記ケース本体のランプハウス外面に突出させた調整ハンドルによって回動可能なギヤ機構を介して光の前後方向の照射角度を調整自在としたことを特徴とする。
【００１１】
また、請求項４の発明は、請求項１〜３のいずれか１つに記載の特殊照明効果を有する照明装置において、前記回転ドラムは、前記ケース本体の背面板に形成した開口部に配設され、可逆転可能なモータによって正，逆回転駆動されると共に、前記回転ドラムの胴体部の外周表面には鏡面仕上げが施された凹凸反射面が形成されたものであることを特徴とする。
【００１２】
また、請求項５の発明は、請求項１〜３のいずれか１つに記載の特殊照明効果を有する照明装置において、前記回転ドラムの反射面は、表面に鏡面仕上げが施された凹凸反射面を有する薄板状の反射板を前記回転ドラムの胴体外周に着脱自在に巻装したものであることを特徴とする。
【００１３】
また、請求項６の発明は、請求項１〜５のいずれか１つに記載の特殊照明効果を有する照明装置において、前記ケース本体の開口部の左右縁部及び下縁部には、断面コ字状のカラーフィルタ装着用の装着部を有し、該装着部に所望のフィルタ色を有する光透過性のカラーフィルタを脱着可能に配設するようにしたことを特徴とする。
【００１４】
また、請求項７の発明は、請求項１〜７のいずれか１つに記載の特殊照明効果を有する照明装置において、前記ランプハウスには開閉可能な開閉蓋が設けられると共に、開閉蓋の内部に前記ランプへの電力供給用のコード接続部分を覆う感電防止用の保護板が設けられていることを特徴とする。
【００１５】
また、請求項８の発明は、請求項１〜７のいずれか１つに記載の特殊照明効果を有する照明装置において、前記ランプからの光の左右方向の照射角度を調整自在としたランプホルダの前面に円筒状の光漏れ防止部材を配設したことを特徴とする。
【００１６】
また、請求項９の発明は、請求項１〜８のいずれか１つに記載の特殊照明効果を有する照明装置において、前記ケース本体の両側面には縦吊り用の連結具を有する旋回可能なアームと横吊り用の連結具が設けられていることを特徴とする。
【発明の効果】
【００１７】
本発明の照明装置においては、光源であるランプから発する光が、ケース本体の上部内面に配設された装飾用光パターン生成用である正，逆回転する回転速度可変の回転ドラムの反射面に照射され、前記反射面に反射された照明光がスクリーン等の照明面へ出射されようになっている。これにより、例えば回転ドラムの回転スピードを変換させることで、ランプからの光を、従来のエフェクトでは得られなかった複雑な動きや模様として、滝・荒海等の水や自然のイメージをテーマとしたもの、或いは火山・火炎・流れ雲・夕焼け雲などのような特殊効果に対応する光のパターンに変換して照射面に投光できるため、照明のダイナミックな演出効果を発揮させることができ、照明装置自体の意匠性及び審美性をより向上させることができる。
【００１８】
また、本発明の照明装置は光源よりの光を回転ドラムの反射面に当てて照射面（スクリーン等）に投光する際、従来のようにオブジェクティブレンズ（集光又は拡散レンズ）等を介して投光する構成とはなっておらず、像が明確に映し出される投光距離を長く設定する必要がなく、至近距離でも十分に像を明確に映し出すことができる効果がある。
【００１９】
また、前記ケース本体の上部前面の開口部の縁周囲には、前記開口部からの反射光の照射領域を調節し、かつ前記反射面からの反射光の拡散を規制する射光調節板を設けたことで、ランプからの光漏れ或いは反射光の外部への光漏れを制限することができ、照射光の拡散を防止することができる。
【００２０】
さらに、本発明における特殊照明効果を有する照明装置は、前記ケース本体の開口部の左右縁部及び下縁部に断面コ字状のカラーフィルタ装着用の装着部を設け、該装着部に所望のフィルタ色を有する光透過性のカラーフィルタ脱着可能に配設できるようにしたので、前記装着部に装着するカラーフィルタのフィルタ色を変化させることにより、フィルタを透過する光の色を可変できるため、スクリーン等の照射面に照射する照明光を一段と演出効果のあるものとすることができる。
【００２１】
さらにまた、前記照明装置をケース本体にランプハウスを含めて一体で構成したので、従来のように大型となることがなく軽量で、小型に設計可能であるため狭いスペースでも横置き或いは吊り下げなどの携帯移動によるセッティングが可能であり、装置全体を安価に製造ができる効果がある。
【００２２】
さらにまた、本発明における特殊照明効果を有する照明装置は、前記回転ドラムの胴体部外周に鏡面仕上げが施された凹凸反射面を有する薄板状の反射板を着脱自在に巻装して反射面を配設できる構成としたので、前記胴体部外周に巻装する反射板を変化させることにより、フィルタを透過する光の色を可変できるため、スクリーン等の照射面に照射する照明光を一段と演出効果のあるものとすることができる。
【００２３】
さらにまた、本発明における特殊照明効果を有する照明装置は、ケース本体の左右側面に、夫々側面吊り（横吊り）用の連結具を取り付けた構成とすることで、ケース本体の背面部に横長に配設された回転ドラムの姿勢を上下方向が長い縦長にして使用することが可能であり、回転ドラムの反射面を所望の特殊効果を発揮させることができる反射面として利用できる。
【発明を実施するための最良の形態】
【００２４】
本発明の実施における最良の形態では、ランプからの光を任意形状の光のパターンに変換して複雑な模様を照射面に表示するという目的を達成するために、ケース本体の開口部に光透過性カラーフィルタを配置し、ランプからの光を装飾照射光パターンに生成する正，逆回転可能な回転ドラムの胴体部外周に反射面を設け、該反射面からの反射光をカラーフィルタを透過させて進行させて照明面へ出射することにより、ランプからの光を任意形状に輝光する装飾照射光パターンに変換してスクリーンなどの照明面に表示する。
【実施例１】
【００２５】
次に、本発明の特殊照明効果を有する照明装置の実施例１について、図１〜図８を参照して説明する。
図１は本発明の実施例１における照明装置全体の構成を示す斜視図、図２は同じく側面図、図３は同じく一部切欠き背面図、図４は本実施例１におけるランプ取付部を示す説明用斜視図、図５は図４のランプ取付部のランプを取り除いて示す要部拡大正面図、図６は図５の平面図、図７は本実施例１における回転ドラムの要部拡大側断面図、図８の（ａ）〜（ｄ）は本実施例１における回転ドラムの反射面の各パターンを示す展開平面図である。
【００２６】
図１において、特殊照明効果を有する照明装置１０（以下照明装置という）は、上部前面に開口部１１を有する遮光金属性のケース本体１２と、前記ケース本体１２に形成した矩形状の前面の開口部１１の左，右部及び下部の外周縁に形成したコ字状の装着部１３に脱着可能に配設された光透過性のカラーフィルタ１４と、前記ケース本体１２の下部にほぼL字状に折り曲げ形成されたランプハウス１５とを有し、該ランプハウス１５は蝶番により上端部が連結されて開閉可能に装着されたランプ１６交換用開閉蓋１５ａを備えている。
【００２７】
また、前記開口部１１の上下，左右の外周縁部には、それぞれ独立に可動する４枚の射光調節板１７が蝶番により固定されており、前記開口部１１からの反射光の照射領域を調節し、かつ後述の回転ドラム２０の反射面からの反射光の拡散を規制するようになっている。
さらに、前記ケース本体１２の背面板１２ａ外側には、モータ１８及びモータをＤＭＸ制御する制御部１９が外付けで固定されている。ここで使用するモータ１８は、ＤＭＸ制御が可能となる種類のモータで、ステッピングモ−タが相当する。
【００２８】
また、本発明は交流及び直流制御によるモータも使用可能である。その際の制御はＤＭＸ制御ではなく、従来のように交流又は直流の出力電圧を制御し、回転速度を可変する方式の制御方式を採用するシステムのものでも使用できる。
また、前記ケース本体１２の背面板１２ａの上方部に片寄った位置には矩形状の開口部１２ｂ、好ましくは長方形状の開口部１２ｂが形成されており、この開口部１２ｂには左右方向に長い横置き状態に回転ドラムム２０が配設されており、前記モータ１８により正，逆回転可能に駆動されるようになっている。
１２ｃは回転ドラム２０の背面板１２ａより外方に突出した部分をカバーする開閉自在のカバーである。
【００２９】
前記回転ドラム２０は、直径がほぼ１００mm〜３００mmで、かつ長さがほぼ１００mm〜３５０mm、好ましくは直径２１mmで長さが２８０mmの中空円筒体で、反射面２２を構成する中空の胴体部２０ａと、複数の放熱用の開孔２１ａを有する左，右側板２１とから構成されている。図７によく見られるように、前記左，右側板２１は、円形状板材の円周端を折り曲げて形成した折曲段部２１ｂと突起部２１ｃが設けられおり、左右の折曲段部２１ｂ間に薄板状の鉄板あるいはアルミニューム板などの金属性板材を周方向に巻きまわして接合部を溶着などの手段により結合して胴体部２０ａを形成したものである。
前記胴体部２０ａは、表面に鏡面仕上げが施された凹凸又は異なる色彩が施された回転ドラムの反射面２２が形成されている。
【００３０】
２３は、前記回転ドラム２０の左，右側板２１の近傍に夫々対峙させて立設した左，右軸取付部で、両軸取付部２３，２３にはそれぞれ先端先細の段差を有する支承軸２４が対応固定されている。そして一方（左方）の支承軸２４の大径基部２４ａには鋸歯を有するプーリ２５が回転自在に配設され、前記ケース本体１２の背面板１２ａ外側に配設したモータ１８の出力軸１８ａとの間に懸架されたタイミングベルト２６によってモータ１８の駆動力が伝達されるようになっている。
【００３１】
前記支承軸２４の小径先端部２４ｂは、前記回転ドラム２０の左側板２１の中心部に固定した軸受けケース２７の中心開孔に挿入され、前記軸受けケース２７がベアリング２８を介して回動可能に軸支され、前記回転ドラム２０をケース本体１２の背面板１２ａの開口部１２ｂに位置決め保持するようになっている。
前記回転ドラム２０は、左側板２１の中心部に固定された軸受けケース２７の外端部と前記プーリ２５とをネジ結合した構成とすることで、モータ１８の回転をタイミングベルト２６を介して回転されるプーリ２５と共に回転するようになっている。
【００３２】
さらに、前記一方の支承軸２４に、軸芯を一致させて右軸取付部２３に対応させて配設した他方（右方）の支承軸２４は、右軸取付部２３に大径基部２４ａを固定すると共に、回転ドラム２０の右側板２１の中心部に固定した軸受けケース２７の中心開孔に挿入され、前記軸受けケース２７がベアリング２８を介して回動可能に軸支されるようになっている。
【００３３】
なお、前記回転ドラム２０の反射面２２となる胴体部２０ａは、材質については、特に金属性或いはプラスチック性に特定しないが、図８に示すように鏡面仕上げされたアルミニユーム板の表面に不規則な凹凸・皺模様・異なる色彩等を施して形成されたものが好ましい。また、前記反射面２２は、回転ドラムの２０の胴体部２０ａ外表面に直接模様等を刻設形成したものに限らず、図８の（ａ）〜（ｄ）に示すように、前記胴体部２０ａの外周面に、表面に不規則な凹凸・皺模様・異なる色彩等を施して形成した他の薄板材を用意して置き、所望によって積層状態に巻装固定することで、反射面２２を照射面の種々の情景に合わせて使用することも勿論可能である。
【００３４】
図８の（ａ）は、前記回転ドラム２０の胴体部２０ａに巻装する反射面２２を有する耐熱性を有するアルミニュム製の薄板材２２ａで、この薄板材２２ａの表面をアルマイト処理によって黒地肌とした素材表面２２ｂに、流れ雲２２ｃなどの情景を真空蒸着によって鏡面仕上げにより形成した反射面２２を備えたものである。
【００３５】
図８の（ｂ）は図８の（ａ）と同様に、薄板材２２ａの表面をアルマイト処理によって黒地肌とした素材表面２２ｂに、規則性を持たせた複数の円形凹部２２ｄを形成し、この円形凹部２２ｄにプラスチック或いは金属製材料に鏡面仕上げを施し、この鏡面仕上部に赤（Ｒ）・黄（Ｙ）・青（Ｂ）・白（Ｗ）・緑（Ｇ）等の色彩を施した鏡面部材２２ｅを図８の（ｃ）に示すように、所定の傾斜を持たせて配設した反射面２２を形成したものである。
【００３６】
図８の（ｄ）は、前記同様に薄板材２２ａの素材表面にアルマイト処理などによって黄（Ｙ）・青（Ｂ）・ピンク（Ｐ）などの着色を施した反射面２２を形成したもの、或いは色彩の濃淡を変えたパターンを形成した反射面２２を形成したものである。
【００３７】
なお、前記反射面２２に色彩を施す場合には、前記実施例に代えて素材表面に薄いカラーフィルムを貼着して反射面２２とすることも勿論可能である。
【００３８】
さらに、前記実施例１のように回転ドラム２０をケース本体１２の背面板１２ａの開口部１２ｂに横長に配設することなく、モータ１８との駆動伝達部の構成を若干変更することで、縦長に配設して使用することも勿論可能である。
【００３９】
前記ランプハウス１５に配設されるランプ１６は、ＡＣ１００Ｖのシールドビーム球が２個並列して使用される。そして、前記各ランプ１６は、矩形状の調整枠板２９の枠内に併設された一対のランプホルダ３０，３０に装着され、前記ランプホルダ３０，３０に設けた弾性を有する保持部材３２，３２によって交換可能に保持されるようになっている。前記矩形状の調整枠板２９は、外面に固定されたギヤ２９ａを有し、前記ランプハウス１５の外面に突出した前記調整枠板２９の姿勢を制御する調整ハンドル３３に設けた角度調整ギヤ３３ａと噛み合うようになっており、前記調整枠板２９の前後方向への姿勢角度の調整を可能としている。
【００４０】
また、前記実施例では前記ランプ１６は、ＡＣ１００Ｖシールドビーム球を使用した例について説明したが、これに代えて、ハロゲンランプ，放電灯ランプにも置き換えることが可能であり、異なった照明効果を得ることができる。
さらに、前記ランプ１６の取り付けられたランプホルダ３０，３０は、それぞれ独立して左右方向への角度が調整可能となっている。即ち、前記ランプホルダ３０，３０は左右方向の中心部が前記調整枠板２９の上板２９ｂ及び下板２９ｃに枢支ピン３４，３４によってそれぞれ枢支されると共に、調整枠板２９の左，右側板２９ｄ，２９ｅに近接した端部が締付けねじ３５，３５によってそれぞれ保持固定されるようになっている。
【００４１】
従って、前記ランプホルダ３０，３０を左右方向に調整する場合は、前記各締付けねじ３５，３５を緩めて、前記枢支ピン３０を中心にして左右方向に遥動させてランプ１６の光を前記回転ドラム２０の反射面の所望位置に収束させることが可能となる。
【００４２】
また、前記ンプハウス１５には開閉可能な開閉蓋１５ａが設けられると共に、開閉蓋１５ａの内部には前記ランプ１６，１６への電力供給用のコード接続部分を覆う感電防止用の保護板３６が設けられている。
さらに、前記ケース本体１２の背面板１２ａ外側下方に配設された前記制御部１９には、照明装置１０の前記ランプ１６の点灯制御するスイッチ３７と、回転ドラム２０の回転速度を制御する操作つまみ３８、モータへの電力供給用接続部１９ａおよび開閉スイッチ１９ｂとが設けられている。
【００４３】
また、前記ケース本体１２の両側面板のほぼ中央には、ケース本体１２を縦吊り状態に連結するための連結具３９ａを備えたコ字状の吊り下げアーム３９を回動自在に枢支する取付部４０が設けられている。そして前記アーム３９の両先端は夫々受け金具４０ａが固定ハンドル４１によって固着されており、照明装置全体の取り付け角度位置が固定ハンドル４１を緩めることで変更が可能となっており、反射光の照射方向を調整できるようになっている。
【００４４】
前記受け金具４０ａにはケース本体１２を横向き状態に吊り下げるために横吊り用の連結具（ダボ）４０ｂが取り付けられている。
なお、４２はケース本体１２及びランプハウス１５に形成した放熱用開口部、４３は前記回転ドラム２０の背面板より裏面外方に突出した部分を覆うカバーを示す。
【００４５】
次に、上記のように構成された本発明の実施例１に示す特殊照明効果を有する照明装置の動作について説明する。
一般的な使用においては、照明装置１０のケース本体１２の上部前面の開口部１１の上下，左右の外周縁部に設けた射光調節板１７を所定の角度位置に開き、背面板１２ａの開口１２ｂに配設した回転ドラム２０の軸受けケース２７と連結したプーリ２５とモータ１８の出力軸１８ａとの間に設けたタイミングベルト２６によって、前記モータ１８の回転力を伝達可能とする。次に前記開口部１１に形成したコ字状の装着部１３に照射面が必要とするカラーフィルタ１４を装着する。
【００４６】
さらに、前記ランプハウス１５の開閉蓋１５ａを開いて、調整枠板２９に保持されたランプホルダ３０の締付けねじ３５を緩め、前記枢支ピン３４を中心にして左右方向に移動してランプ１６の光を回転ドラム２０の反射面２２の所望位置に収束させる位置決めを行って、再度前記締付けねじ３５を締め付けてランプホルダ３０を固定した後に前記開閉蓋１５ａを閉じる。
【００４７】
次に、ランプハウス１５の側面に突設した調整ハンドル３３を回動して前記調整枠板２９を前後方向の姿勢角度の傾き、即ちランプ１５の照射角度位置を所望位置に調整する。
前記調整の完了した照明装置１０は、前記吊り下げアーム３９の連結具３９ａをスタジオ等の天井に懸架されたバトンに固定金具（図示せず）に固定セットする。
【００４８】
なお、本発明の照明装置１０は所望によってはケース本体１１のランプハウス１５を床面に載置して、吊り下げアーム３９を回動して支持部として利用する床置き方式に利用することも勿論可能である。
【００４９】
かかる状態の照明装置１０を開閉スイッチの操作により点灯し、同時にモータ１８の回転速度を所望の回転速度に定めて駆動することで、回転ドラム２０の軸受けケース２７と連結したプーリ２５とモータ１８の出力軸１８ａとの間に設けたタイミングベルト２６によって、前記モータ１８の回転力を伝達し、回転度ドラム２０をそれぞれ互いに正，逆方向に回転させる
この回転している回転ドラム２０の胴体部の外周表面に形成される反射面２２にランプ１６からの光を当てて、反射面２２に形成した凹凸表面２２ａで反射し、この反射光をケース本体１２の前面開口部１１のカラーフィルタ１４を透過させて至近距離に設置したスクリーン等の照射面に照射して、滝・荒海等の水や自然のイメージをテーマとしたもの、或いは火山・火炎・流れ雲・夕焼け雲などのような特殊効果等によるテーマとした変化にとんだ照明効果を発揮させ、照明装置自体の意匠性及び審美性をより向上させることができる。
【実施例２】
【００５０】
次に、図９、図１０により本発明の実施例２について説明する。
図９は本実施例２における特殊照明効果を有する照明装置の全体斜視図で、図１０はランプハウスに配設される調整枠体及びランプホルダを示す平面図である。
【００５１】
この図９，図１０における照明装置１０は、前述の実施例１とほぼ同様の構成であるが、異なる点は、ランプ１６から出る光がケース本体１２の前面開口部より漏れて拡散することを防止するために、ランプホルダ３０，３０の前面に中空円筒状の光漏れ防止部材４３を設けたものである。
その他の構成は、前記第１実施例と同一であるので、同一部分は、同一符号を付してその説明を省略する。
【００５２】
このような実施例２に示す照明装置１０においても上記実施例１と同様な作用効果が得られると共に、ランプホルダ３０，３０に装着したランプ１６，１６の光がケース本体１２の前面開口部１１より漏れて拡散することがなく、照射面に投光できる照明の演出効果を更に向上させることができるという効果がある。
【００５３】
なお、前記実施例にあっては、前記モータの回転速度制御は手動操作によって操作するようにしたが、遠隔操作によって制御できるようにすることも制御回路を付加することで勿論可能である。
【００５４】
さらにまた、前記実施例においては、前記ケース本体１２の前面開口部１１に脱着可能に配設された光透過性のカラーフィルタ１４を設けた構成としたが、このカラーフィルタ１４は所望の演出効果を出現させるための手段として役割をはたすもので、絶対的に必要であるということはなく、カラーフィルタ１４を装着しないで使用することもあることは勿論である。
【図面の簡単な説明】
【００５５】
【図１】図１は本発明の実施例１における照明装置全体の構成を示す斜視図、
【図２】図２は同じく側面図、
【図３】図３は同じく背面図、
【図４】図４は本実施例１におけるランプ取付部を示す説明用斜視図、
【図５】図５は図４のランプ取付部のランプを取り除いて示す要部拡大正面図、
【図６】図６は図５の平面図、
【図７】図７は本実施例１における回転ドラムの取付け状態を示す切欠き要部拡大側断面図、
【図８】（ａ）〜（ｄ）は本実施例１における照明装置に適用される回転ドラムの反射面の拡大展開図、
【図９】本実施例２における特殊照明効果を有する照明装置の全体斜視図、
【図１０】ランプハウスに配設される調整枠体及びランプホルダを示す平面図である。
【符号の説明】
【００５６】
１０  特殊照明効果を有する照明装置（照明装置）
１１  開口部
１２  ケース本体
１２ａ背面板
１３  装着部
１４  カラーフィルタ
１５  ランプハウス
１５ａ  開閉蓋
１６  ランプ
１７  射光調節板
１８  モータ
１８ａ出力軸
１９  制御部
２０  回転ドラム
２１  左，右側板
２２  反射面
２２ａ胴体部
２２ｂ突起部
２３  軸取付部
２４  支承軸
２５  プーリ
２６  タイミングベルト
２７  軸受けケース
２８  ベアリング
２９  調整枠板
３０  ランプホルダ
３１  耐熱硝子板（ソケット）
３２  弾性保持部材
３３  調整ハンドル
３４  枢支ピン
３５  締付けねじ
３６  感電防止用の保護板
３７  開閉一致スイッチ
３８  操作つまみ
３９  吊り下げアーム
４０  取付部
４１  固定ハンドル
４３  中空円筒状の光漏れ防止部材
【図１】
2006073244.tif 000003
【図２】
2006073244.tif 000004
【図３】
2006073244.tif 000005
【図４】
2006073244.tif 000006
【図５】
2006073244.tif 000007
【図６】
2006073244.tif 000008
【図７】
2006073244.tif 000009
【図８】
2006073244.tif 000010
【図９】
2006073244.tif 000011
【図１０】
2006073244.tif 000012